(57)【要約】【課題】  本考案は、一対のペンダントからなるペアペンダントを組み合わせることで、個別のペンダント単独では表れていなかった完成デザインが、両ペンダントの外周面又は内周面に跨って表示され、両ペンダントの結び付きの意外性により、ペアペンダントの所有者たるカップルの結びつきの深さ、信頼の深さ等を確認することを可能とし、従来のペンダントでは楽しむことのできなかった斬新な局面を経験できるものである。【解決手段】  男性用ペンダントと女性用ペンダントとの一対のペアペンダントで構成され、一方のペンダントの外周面と他方のペンダントの外周面に部分装飾物を形成し、両ペンダントを横に並べた状態時において、当該部分装飾物の合体により両ペンダントの外周面に跨って完成デザインが表示されるようになっていることを特徴とする。【選択図】  図１
0003105234.tif 000002
【実用新案登録請求の範囲】
【請求項１】
男性用ペンダントと女性用ペンダントとの一対のペアペンダントで構成され、一方のペンダントの外周面と他方のペンダントの外周面に部分装飾物を形成し、両ペンダントを横に並べた状態時において、当該部分装飾物の合体により両ペンダントの外周面に跨って完成デザインが表示されるようになっていることを特徴とするペアペンダント。
【請求項２】
男性用ペンダントと女性用ペンダントとの一対のペアペンダントで構成され、一方のペンダントに嵌合用凹欠部を形成し、他方のペンダントの全部又は一部が前記嵌合用凹欠部に収納されるようになっていることを特徴とするペアペンダント。
【請求項３】
一方のペンダントに鍵を形成し、他方のペンダントに前記鍵が差し込み可能となる鍵穴を形成したことを特徴とするペアペンダント。
【考案の詳細な説明】
【技術分野】
【０００１】
本考案は、ペアペンダントに関し、さらに詳しくは一対のペンダントを組み合わせることにより、両ペンダントのマッチングの確認が可能となるペアペンダントに関する。
【背景技術】
【０００２】
従来ペアペンダントは、マッリジペンダントやエンゲージペンダントとして、広く普及している。
通常のペアペンダントは、両ペンダントを組み合わせても、そのマッチングの確認をすることは困難であった。
【特許文献１】実用新案登録第３０１５８２６号公報（図１乃至図６）
【考案の開示】
【考案が解決しようとする課題】
【０００３】
従来ペアペンダントは世の中に存在せず、関連するものとしては、単に実用新案登録第３０１５８２６号公報に示されるようなペアリングが知られているだけである。これは第一のリングと、この第一のリングに嵌合させる第二のリングとで構成され、両リングを内外二重に組み合わせるタイプのペアリングにおいて、第一リングの外周面に立体模様部を形成し、第二リングの内周面にも同様の立体模様部を形成するものであった。
【０００４】
上記のペアリングは、第一のリングの外周に第二のリングを嵌合させると、両リングにそれぞれ備えられた立体模様部が相手方リングによって隠されてしまうので、せっかく用意した味わいのあるデザインを楽しむことができなくなるという問題点があった。
【０００５】
本考案は、一対のペンダントからなるペアペンダントを組み合わせることで、個別のペンダント単独では表れていなかった完成デザインが、両ペンダントの外周面又は内周面に跨って表示され、両ペンダントの結び付きの意外性により、ペアペンダントの所有者たるカップルの結びつきの深さ、信頼の深さ等を確認することを可能とし、従来のペンダントでは楽しむことのできなかった斬新な局面を経験できるものである。
【課題を解決するための手段】
【０００６】
上記目的を達成するために、請求項１記載の考案は、男性用ペンダントと女性用ペンダントとの一対のペアペンダントで構成され、一方のペンダントの外周面と他方のペンダントの外周面に部分装飾物を形成し、両ペンダントを横に並べた状態時において、当該部分装飾物の合体により両ペンダントの外周面に跨って完成デザインが表示されるようになっていることを特徴とするペアペンダントである。
【０００７】
さらに請求項２記載の考案は、男性用ペンダントと女性用ペンダントとの一対のペアペンダントで構成され、一方のペンダントに嵌合用凹欠部を形成し、他方のペンダントの全部又は一部が前記嵌合用凹欠部に収納されるようになっていることを特徴とするペアペンダントである。
【０００８】
請求項３は、一方のペンダントに鍵を形成し、他方のペンダントに前記鍵が差し込み可能となる鍵穴を形成したことを特徴とするペアペンダントである。
【考案の効果】
【０００９】
以上述べたように、請求項１乃至３によるペアペンダントによれば、従来にないペアペンダントとしての意外性を備えているため、ペアペンダントそのものの価値観を高めるという効果がある
【考案を実施するための最良の形態】
【００１０】
以下添付図面に基づいて、本考案に係るペアペンダントの実施例を詳説する。
図1及び図２は本考案に係るペアペンダントの第１実施例で、（ａ）は分離状態、（ｂ）は組み合わせ状態を示す。
図３乃至図７は本考案に係るペアペンダントの第２実施例で、（ａ）は分離状態、（ｂ）は組み合わせ状態を示す。
図８も本考案に係るペアペンダントの第２実施例で、（ａ）は男性用ペンダントの正面図、（ｂ）は同Ａ−Ａ線断面図、（ｃ）は女性用ペンダントの正面図、（ｄ）は同Ｂ−Ｂ線断面図を示す。
図９は本考案に係るペアペンダントの第３実施例で、（ａ）は分離状態、（ｂ）は組み合わせ状態を示す。
【実施例１】
【００１１】
本考案のペアペンダント１は、同種素材、同種デザインの比較的大き目の男性用ペンダント２と比較的小さめの女性用ペンダント３とで構成され、個別ペンダントの使用時にはそれぞれ別個に各人が首に吊り下げて装着使用される（図１及び図２参照）。
【００１２】
ここで男性用ペンダント２と女性用ペンダント３の外周面には、両ペンダントに跨ってハート、変形ハート、四葉のクローバー、クロス、サッカーボール、文字、記号等好みの完成デザイン５を分割した状態の部分装飾物４が形成されている。この部分装飾物４は、個別ペンダントにおいては、図１（ａ）及び図２（ａ）に示されるように単独では完成デザイン５を表示できないが、図１（ｂ）及び図２（ｂ）に示されるように両ペンダントを横に並べた状態にしたとき（ペアペンダントとして並べたとき）に初めて、部分装飾物４の合体により、両ペンダントに跨る完成デザイン５が一体的に表示できるようになっている。
また部分装飾物４の形態としては、膨隆状の部分装飾物にする例や、刻設状の部分装飾物にする例が考えられる。
【００１３】
上記のペアペンダント１によれば、ペアペンダント１を所有する夫婦、恋人、友人が、各ペンダント２，３をそれぞれ別個に単独で使用しているときは普通のペンダントであるが、二人の個別ペンダント２，３を横に並べることにより、ペアペンダント１の外周面に、例えば愛の象徴であるハート模様のような完成デザイン５が表示されることとなる。また図中の符号９は、吊り下げ用チェーンを示している。
【００１４】
なお個別のペンダント２，３における部分装飾物４は、両ペンダント２，３を横に並べた際に完成デザイン５が表示されるようになっていればよいので、個々の部分装飾物の切断位置は必ずしも完成デザイン５の中央部に来る必要はなく、自由にその切断位置を選択することができる。そのため、一方のペンダントの部分装飾物４が、他方の部分装飾物４と比べて大きくなることがあっても、まったく問題はない。
【実施例２】
【００１５】
実施例２は、一方のペンダントに嵌合用凹欠部６を形成し、他方のペンダントの全部又は一部が、その嵌合用凹欠部６に収納されるようにしたものである。
まず図３に例示したものは、ペアペンダント１が十字架状を呈するもので、男性用ペンダント２が女性用ペンダント３の嵌合用凹欠部６に収まるもので、女性用ペンダント３の一部には宝石１０をちりばめている。
【００１６】
ついで図４に例示したものは、男性用ペンダント２に形成した８の字状の嵌合用凹陥部６に、女性用ペンダント３が収まるものである。
図５〜図７は、男性用ペンダント２に形成した嵌合用凹陥部６に、女性用ペンダント３の一部が収まるもので、それぞれ異なる組み合わせデザインを呈するものである。
【００１７】
さらに図８に例示するものは、男性用ペンダント２の裏面に形成した嵌合用凹陥部６に、女性用ペンダント３の裏面に形成した突出部１１が収まるもので、両ペンダントの背面同士をつき合わせるようにしたものである。
【実施例３】
【００１８】
さらに図９に例示するものは、男性用ペンダント２の側面に鍵穴８を形成し、女性用ペンダント３の先端に鍵７を形成したもので、これらの鍵７と鍵穴８とがぴったり合う形状になっている。
【００１９】
上記した各実施例の、男性用ペンダント２と女性用ペンダント３は仮にその役割を与えただけのものであるから、使用者の好みや判断で、相互の形状や形態を入れ替えてその役割を交代させることは、もちろん自由である。
また、単体ペンダント２，３のみでは読み取れなかった好みの完成文字やデザインを、組み合わせて完成したペアペンダント１の側面などに現れるように工夫すると、一層楽しさが増えることとなる。
【産業上の利用可能性】
【００２０】
本考案のペアペンダントは、宝飾品などのペンダント製造産業界において広く利用される。
【図面の簡単な説明】
【００２１】
【図１】本考案に係るペアペンダントの第１実施例で、（ａ）は分離状態、（ｂ）は組み合わせ状態を示す。
【図２】本考案に係るペアペンダントの第１実施例で、（ａ）は分離状態、（ｂ）は組み合わせ状態を示す。
【図３】本考案に係るペアペンダントの第２実施例で、（ａ）は分離状態、（ｂ）は組み合わせ状態を示す。
【図４】本考案に係るペアペンダントの第２実施例で、（ａ）は分離状態、（ｂ）は組み合わせ状態を示す。
【図５】本考案に係るペアペンダントの第２実施例で、（ａ）は分離状態、（ｂ）は組み合わせ状態を示す。
【図６】本考案に係るペアペンダントの第２実施例で、（ａ）は分離状態、（ｂ）は組み合わせ状態を示す。
【図７】本考案に係るペアペンダントの第２実施例で、（ａ）は分離状態、（ｂ）は組み合わせ状態を示す。
【図８】本考案に係るペアペンダントの第２実施例で、（ａ）は男性用ペンダントの正面図、（ｂ）は同Ａ−Ａ線断面図、（ｃ）は女性用ペンダントの正面図、（ｄ）は同Ｂ−Ｂ線断面図を示す。
【図９】本考案に係るペアペンダントの第３実施例で、（ａ）は分離状態、（ｂ）は組み合わせ状態を示す。
【符号の説明】
【００２２】
１…ペアペンダント
２…男性用ペンダント
３…女性用ペンダント
４…部分装飾物
５…完成デザイン
６…嵌合用凹欠部
７…鍵
８…鍵穴
９…吊り下げ用チェーン
１０…宝石
１１…突出部
【図１】
0003105234.tif 000003
【図２】
0003105234.tif 000004
【図３】
0003105234.tif 000005
【図４】
0003105234.tif 000006
【図５】
0003105234.tif 000007
【図６】
0003105234.tif 000008
【図７】
0003105234.tif 000009
【図８】
0003105234.tif 000010
【図９】
0003105234.tif 000011